(57)【特許請求の範囲】
【請求項１】
カードの端子アレーに接触させるための複数のコンタクトの弾性変形部の先端に設けられた接点部を片面に出没可能に露出させると共に前記各コンタクトの各基部を絶縁支持させたベース板と、該ベース板の両縁部に支持されて該ベース板の片面を覆うことにより両者の間にカード挿入通路を形成するカバー部材とを備え、
前記ベース板には前記各コンタクトの前記各接点部を有する前記各弾性変形部に対応する位置に前記カードの挿抜により前記各接点部を前記ベース板の肉厚空間に沈下させたり該肉厚空間より上昇させたりする窓部が設けられているカードコネクタであって、
前記各弾性変形部には前記各接点部の側部に沿って該接点部から離れて存在する補助片がそれぞれ分岐して設けられ、
前記各補助片の自由端は前記各接点部の自由端より先方に突出して設けられ、
前記各補助片の自由端の先端部は前記各弾性変形部がフリーの状態で斜めの傾斜で前記窓部内に入っており、且つ、前記各補助片の頂部が接点部の頂部より低くなっているとともに、補助片の頂部が接点部の頂部より先方側に位置しており、該補助片の頂部がカードの下面で押し下げられた際に、弾性変形部の下降により接点部の自由端が窓部内に入り込むようにしたことを特徴とするカードコネクタ。
【請求項２】
前記各補助片が、対応する前記接点部に沿って該接点部を包囲する環状をなしていることを特徴とする請求項１に記載のカードコネクタ。
【請求項３】
前記各補助片が、対応する前記接点部に沿って該接点部の少なくとも片側に延びる構造をなしていることを特徴とする請求項１に記載のカードコネクタ。
【請求項４】
前記接点部が逆Ｕ字状に湾曲し、前記補助片も先端部が逆Ｕ字状に湾曲している請求項１〜３のいずれか１項に記載のカードコネクタ。
【発明の詳細な説明】
【技術分野】
【０００１】
本発明は、例えば識別情報が書き込まれたＳＩＭカードの如きカードを差し込み接続するカードコネクタに関するものである。
【背景技術】
【０００２】
従来のこの種のカードコネクタ１は、図６（Ａ）（Ｂ）（Ｃ）乃至図８に示すように、カード２の端子アレー３に接触させるための複数のコンタクト４の弾性変形部４ａに設けられた接点部４ｂを片面に出没可能に露出させると共に各コンタクト４の各基部４ｃを絶縁支持させたベース板５と、該ベース板５の両縁部に支持されて該ベース板５の片面を覆うことにより両者の間にカード挿入通路６を形成する金属製のカバー部材７とを備えている。各コンタクト４は、本例ではカード挿入通路６の挿入方向の前後に２段に配置されている。各コンタクト４は、本例ではカード挿入通路６の幅方向に３列に配置されている。カード挿入通路６は、図８で左側が入口部６ａで、右側がカード先端位置決め部６ｂとなっている。初段の各コンタクト４の弾性変形部４ａと２段目の各コンタクト４の弾性変形部４ａとは、カード２の挿入の障害にならないように、図８に示す如く入口部６ａからカード先端位置決め部６ｂに向かう方向に自由端が向いている。初段の各コンタクト４の端子部４ｄは、入口部６ａの外に突出されている。２段目の各コンタクト４の端子部４ｄは、初段の端子部４ｄとは逆向きでカード先端位置決め部６ｂの外に突出されている。このように初段の各コンタクト４の弾性変形部４ａと２段目の各コンタクト４の弾性変形部４ａとが入口部６ａからカード先端位置決め部６ｂに向かう方向に延び、且つ２段目の各コンタクト４の端子部４ｄを、初段の端子部４ｄとは逆向きに突出させるため、２段目の各コンタクト４はＵ字状に湾曲されている。ベース板５には、図８に示すように、各コンタクト４の各接点部４ｂを有する各弾性変形部４ｂに対応する位置にカード２の挿抜により各接点部４ｂをベース板５の肉厚空間に沈下させたり該肉厚空間より上昇させたりする窓部８がそれぞれ設けられている。カードコネクタ１のベース板５は、基板９の上に設置されている（例えば、特許文献１参照。）。
【０００３】
このようなカードコネクタ１では、図７に示すように、このカードコネクタ１に挿入するカード２に例えばストラップ取り付け用のカード孔の如き凹部１０が設けられていることが多い。
【特許文献１】特開２００２−３４３５０５号公報
【発明の開示】
【発明が解決しようとする課題】
【０００４】
しかしながら、このようにカード２に凹部１０が設けられていて、図７に示すように、ユーザーが間違ってこの凹部１０側を先にしてカードコネクタ１に挿入して、２段目のコンタクト４の接点部４ｂが該凹部１０に嵌ってしまうと、その後に誤りに気づいてカード２をカードコネクタ１から抜こうとしたとき、２段目のコンタクト４の接点部４ｂが凹部１０の内壁に当たり、カード２が抜けない問題点があった。無理にカード２を抜くと、コンタクト４の接点部４ｂを座屈させてしまう問題点があった。
【０００５】
本発明の目的は、カードに凹部が設けられていて、この凹部側を先にしてカードコネクタに挿入しても、コンタクトの接点部が凹部内に入り込むのを防止できるカードコネクタを提供することにある。
【課題を解決するための手段】
【０００６】
上記の目的を達成する本発明の構成を説明すると、次のとおりである。
【０００７】
請求項１に記載の発明は、カードの端子アレーに接触させるための複数のコンタクトの弾性変形部の先端に設けられた接点部を片面に出没可能に露出させると共に前記各コンタクトの各基部を絶縁支持させたベース板と、該ベース板の両縁部に支持されて該ベース板の片面を覆うことにより両者の間にカード挿入通路を形成するカバー部材とを備え、
前記ベース板には前記各コンタクトの前記各接点部を有する前記各弾性変形部に対応する位置に前記カードの挿抜により前記各接点部を前記ベース板の肉厚空間に沈下させたり該肉厚空間より上昇させたりする窓部が設けられているカードコネクタであって、
前記各弾性変形部には前記各接点部の側部に沿って該接点部から離れて存在する補助片がそれぞれ分岐して設けられ、
前記各補助片の自由端は前記各接点部の自由端より先方に突出して設けられ、
前記各補助片の自由端の先端部は前記各弾性変形部がフリーの状態で斜めの傾斜で前記窓部内に入っており、且つ、前記各補助片の頂部が接点部の頂部より低くなっているとともに、補助片の頂部が接点部の頂部より先方側に位置しており、該補助片の頂部がカードの下面で押し下げられた際に、弾性変形部の下降により接点部の自由端が窓部内に入り込むようにしたことを特徴とするカードコネクタ。
ことを特徴とする。
【０００８】
請求項２に記載の発明は、請求項１の構成に加え、前記各補助片が、対応する前記接点部に沿って該接点部を包囲する環状をなしていることを特徴とする。
【０００９】
請求項３に記載の発明は、請求項１の構成に加え、前記各補助片が、対応する前記接点部に沿って該接点部の少なくとも片側に延びる構造をなしていることを特徴とする。
【００１０】
請求項４に記載の発明は、請求項１〜３のいずれか１項の構成に加え、前記接点部が逆Ｕ字状に湾曲し、前記補助片も逆Ｕ字状に湾曲していることを特徴とする。
【発明の効果】
【００１１】
本発明のカードコネクタでは、コンタクトの弾性変形部には接点部の側部に沿って該接点部から離れて存在する補助片が分岐して設けられ、該補助片の自由端は接点部の自由端より先方に突出して設けられ、該補助片の自由端の先端部は弾性変形部がフリーの状態で斜めの傾斜で窓部内に入っているので、カードがその凹部側を先にして挿入された場合、この凹部にコンタクトの弾性変形部に設けられている接点部が対応する状態になっても、この接点部に先行して併設されている補助片がカードの凹部の先に存在して該カードの下面で押し下げられており、その結果弾性変形部と一体の接点部と補助片とは該補助片がカードの下面で押し下げられると弾性変形部の下降により接点部も下降し、カードの凹部に嵌らなくなる。それゆえ、カードを後退させると、接点部の先端が凹部の内面に当たらず、コンタクトの接点部を座屈させることなく、カードを後退させることができる。
【００１２】
各補助片が、対応する接点部に沿って該接点部を包囲する環状をなしていると、各補助片の形状が安定し、接点部を安全に保護することができる。
【００１３】
また各補助片が、対応する接点部に沿って該接点部の少なくとも片側に延びる構造をなしていると、接点部を安全に保護することができる。
【００１４】
接点部が逆Ｕ字状に湾曲し、補助片も逆Ｕ字状に湾曲し、弾性変形部がフリーの状態で接点部の頂部が補助片の頂部より低くなっていると、接点部と補助片とを安定して作動させることができる。
【発明を実施するための最良の形態】
【００１５】
以下、本発明に係るカードコネクタを実施するための最良の形態を、図面を参照して詳細に説明する。なお、前述した図６（Ａ）（Ｂ）（Ｃ）乃至図８と対応する部分には、同一符号を付けて示している。
【００１６】
図１乃至図４は本発明に係るカードコネクタの一例を示したもので、図１は本例のカードコネクタの部分平面図、図２は図１のＸ−Ｘ′断面図、図３は図２に示すカードコネクタにカードを逆向きに挿入した状態の断面図、図４は図３のＰ部の拡大図である。
【００１７】
本例のカードコネクタ１においては、各コンタクト４の各弾性変形部４ａの先端に接点部４ｂが一体に形成され、その各接点部４ｂの側部に沿って該接点部４ｂから離れて存在する補助片４ｅが、前記弾性片部4ａから分岐して設けられている。各補助片４ｅは、対応する接点部４ｂに沿って該接点部４ｂを包囲する環状をなしている。
各補助片４ｅの自由端は、各接点部４ｂの自由端より先方に突出して設けられている。各補助片４ｅの自由端の先端部は、図２に示すように、各弾性変形部４ａがフリーの状態で斜めの傾斜で窓部８内に入っている。
各接点部４ｂは逆Ｕ字状に湾曲した形状となっている。各補助片４ｅもその先端部が逆Ｕ字状に湾曲しており、各弾性変形部４ａがフリーの状態で、図２に示すように各補助片４ｅの頂部が接点部４ｂの頂部より低くなっているとともに、補助片4ｅの頂部が接点部の頂部より先方側に位置している。
【００１８】
このような構造のカードコネクタ１では、図３に示すように、カード２がその凹部１０側を先にして挿入された場合、この凹部１０にコンタクト４の弾性変形部４ａに設けられている接点部４ｂが対応する状態になっても、この接点部４ｂに先行して併設されている補助片４ｅがカード２の凹部１０の先に存在して該カード２の下面で押し下げられており、その結果弾性変形部４ａと一体の接点部４ｂと補助片４ｅとは該補助片４ｅがカード２の下面で押し下げられると弾性変形部４ａの下降により接点部４ｂも下降し、その自由端は図4に示すように窓部８内に入り、カード２の凹部１０に嵌らなくなる。
それゆえ、カード２を後退させると、接点部４ｂの先端が凹部１０の内面に当たらず、コンタクト４の接点部４ｂを座屈させることなく、カード２を後退させることができる。特に、各補助片４ｅが、対応する接点部４ｅに沿って該接点部４ｂを包囲する環状をなしていると、各補助片４ｅの形状が安定し、接点部４ｅを安全に保護することができる。
【００１９】
図５は、コンタクト４の弾性変形部４ａの先端に設けられている接点部４ｂと補助片４ｅの形状の他の例を示す平面図である。
【００２０】
本例では、弾性変形部４ａの先端に設けられている補助片４ｅが、対応する接点部４ｂに沿って該接点部４ｂの少なくとも片側、本例では両側に延びた構造をなしている。
【００２１】
このような構造でも、前記例と同様な効果を得ることができる。
【図面の簡単な説明】
【００２２】
【図１】本発明に係るカードコネクタの一例の部分平面図である。
【図２】図１のＸ−Ｘ′断面図である。
【図３】図２に示すカードコネクタにカードを逆向きに挿入した状態の断面図である。
【図４】図３のＰ部の拡大図である。
【図５】本発明で、コンタクトの弾性変形部の先端に設けられている接点部と補助片の形状の他の例を示す平面図である。
【図６】（Ａ）（Ｂ）（Ｃ）は従来のカードコネクタの一例を示したもので、（Ａ）はその平面図、（Ｂ）は（Ａ）の右側面図、（Ｃ）は（Ａ）の下側面図である。
【図７】従来のカードコネクタの縦断面図である。
【図８】図７に示すカードコネクタにカードを逆向きに挿入した状態の縦断面図である。
【符号の説明】
【００２３】
１ カードコネクタ
２ カード
３ 端子アレー
４ コンタクト
４ａ 弾性変形部
４ｂ 接点部
４ｃ 基部
４ｄ 端子部
４ｅ 補助片
５ ベース板
６ カード挿入通路
６ａ 入口部
６ｂ カード先端位置決め部
７ カバー部材
８ 窓部
９ 基板
１０ 凹部
【図１】
0004844927.tif 000002
【図２】
0004844927.tif 000003
【図３】
0004844927.tif 000004
【図４】
0004844927.tif 000005
【図５】
0004844927.tif 000006
【図６】
0004844927.tif 000007
【図７】
0004844927.tif 000008
【図８】
0004844927.tif 000009